(57)【特許請求の範囲】
【請求項１】
被写体の光学像を形成する光学系と、
内部に形成される収容空間を有するカメラ筐体と、
前記収容空間から飛び出したポップアップ状態と前記収容空間に少なくとも一部が収容される収容状態とを有するフラッシュ機構と、
前記カメラ筐体に配置される第１回転規制部材と、
を備え、
前記フラッシュ機構は、
前記収容空間内に位置する第１回転中心軸を中心に回転可能であり、前記ポップアップ状態において第１回転位置に位置し、前記収容状態において前記第１回転位置から９０°より大きく離れた第２回転位置に位置する第１アームと、
前記ポップアップ状態において前記第１回転中心軸よりも前記被写体側に位置する第２回転中心軸を中心に前記第１アームに対して回転可能であり、前記ポップアップ状態において第３回転位置に位置し、前記収容状態において前記第３回転位置とは異なる第４回転位置に位置する第２アームと、
前記第２アームに取り付けられる発光部と、
を有し、
前記第２アームは、前記第２アームが前記第３回転位置に位置し、かつ、前記第１アームが前記第１回転位置と前記第２回転位置との間の所定位置に位置する場合に前記第１回転規制部材に当接する第２回転規制部材を有する、
撮像装置。
【請求項２】
前記第１回転規制部材は、前記カメラ筐体の収容空間に配置される、
請求項１に記載の撮像装置。
【請求項３】
前記第１回転規制部材は、前記第２回転規制部材と当接する当接面を有しており、
前記当接面は、前記光学系の光軸方向に沿って延びている、
請求項１に記載の撮像装置。
【請求項４】
前記第４回転位置は、前記第３回転位置から９０°より大きく離れており、
前記第２アームが前記第４回転位置から９０°以上離れた位置に位置するとき、前記第１アームは、前記第２回転位置へ移動することを規制される、
請求項１に記載の撮像装置。
【請求項５】
前記フラッシュ機構は、
前記第１アームを前記第２回転位置から前記第１回転位置まで付勢する第１付勢部と、
前記第２アームを前記第４回転位置から前記第３回転位置まで付勢する第２付勢部と、
を有する請求項１に記載の撮像装置。
【発明の詳細な説明】
【技術分野】
【０００１】
ここに開示される技術は、フラッシュ機構を有する撮像装置に関する。
【背景技術】
【０００２】
従来より、カメラ筐体内に収容可能なフラッシュ機構を有する撮像装置が知られている（例えば、特許文献１参照）。特許文献１の撮像装置は、収容空間内に位置する第１回転中心軸を中心として回転する第１アームと、第１アームによって支持されており第２回転中心軸を中心として回転する第２アームと、第２アームによって支持されておりフラッシュ光を発する発光部とを備える。
【先行技術文献】
【特許文献】
【０００３】
【特許文献１】特許第４４３４６５６号公報
【発明の概要】
【発明が解決しようとする課題】
【０００４】
特許文献１の撮像装置では、発光部が収容空間から飛び出したポップアップ状態において、発光部から出射されるフラッシュ光の照射範囲が制限される虞がある。具体的には、発光部から出射されるフラッシュ光が、筐体の前面に取り付けられるレンズユニットによって遮られるおそれがある。
ここに開示される技術は、発光部から出射されるフラッシュ光がレンズユニットに遮られることを抑制可能な撮像装置を提供することにある。
【課題を解決するための手段】
【０００５】
上記課題を解決するために、ここに開示される技術に係る撮像装置は、被写体の光学像を形成する光学系と、内部に形成される収容空間を有するカメラ筐体と、収容空間から飛び出したポップアップ状態と収容空間に少なくとも一部が収容される収容状態とを有するフラッシュ機構と、を備える。フラッシュ機構は、収容空間内に位置する第１回転中心軸を中心に回転可能であり、ポップアップ状態において第１回転位置に位置し、収容状態において第１回転位置から９０°より大きく離れた第２回転位置に位置する第１アームと、ポップアップ状態において第１回転中心軸よりも被写体側に位置する第２回転中心軸と、第２回転中心軸を中心に第１アームに対して回転可能であり、ポップアップ状態において第３回転位置に位置し、収容状態において第３回転位置とは異なる第４回転位置に位置する第２アームと、第２アームに取り付けられる発光部と、を有する。
【発明の効果】
【０００６】
ここに開示される技術によれば、発光部から出射されるフラッシュ光がレンズユニットに遮られることを抑制可能な撮像装置を提供することができる。
【図面の簡単な説明】
【０００７】
【図１】デジタルカメラの機能構成を示すブロック図。
【図２】フラッシュ機構の収容状態を示すカメラ本体の上面斜視図。
【図３】フラッシュ機構のポップアップ状態を示すカメラ本体の上面斜視図。
【図４】フラッシュ機構のポップアップ状態を示すカメラ本体の底面斜視図。
【図５】ポップアップ状態におけるフラッシュ機構の正面斜視図。
【図６】ポップアップ状態におけるフラッシュ機構の背面斜視図。
【図７】ポップアップ状態におけるフラッシュ機構の側面透視図。
【図８】収容状態におけるフラッシュ機構の側面透視図。
【図９】ポップアップ状態から収容状態に移動途中のフラッシュ機構を示す背面斜視図。
【図１０】フラッシュ機構の動作を説明するための側面透視図。
【図１１】フラッシュ機構の動作を説明するための側面透視図。
【図１２】フラッシュ機構の他の動作を説明するための側面透視図。
【発明を実施するための形態】
【０００８】
以下、図面を参照しつつ、本発明の一実施形態に係るデジタルカメラ１００（撮像装置の一例）について説明する。
なお、説明の便宜上、デジタルカメラ１００の被写体側を前方又は正面側、撮影者側を後方又は背面側、デジタルカメラ１００の横撮り姿勢における鉛直上側を上側、デジタルカメラ１００の横撮り姿勢における鉛直下側を下側、被写体側から見て右側を右側、被写体側から見て左側を左側と定義する。横撮り姿勢とは、ＣＭＯＳイメージセンサ１１０の長辺方向が水平方向と平行になり、ＣＭＯＳイメージセンサ１１０の短辺方向が鉛直方向と平行になる姿勢である。
［デジタルカメラ１００の全体構成］
デジタルカメラ１００の全体構成について、図１〜図４を参照しながら説明する。図１は、デジタルカメラ１００の機能的構成を示すブロック図である。図２は、フラッシュ機構３の収容状態を示すカメラ本体１の上面斜視図である。図３は、フラッシュ機構３のポップアップ状態を示すカメラ本体１の上面斜視図である。図４は、フラッシュ機構３のポップアップ状態を示すカメラ本体１の底面斜視図である。なお、図２〜図４では、レンズユニット２が省略されている。
【０００９】
図１に示すように、デジタルカメラ１００は、カメラ本体１と、レンズユニット２とを備える。レンズユニット２は、カメラ本体１に着脱可能に装着される。
（カメラ本体１）
カメラ本体１は、フラッシュ機構３と、カメラ筐体６（カメラ筐体の一例）と、ＣＭＯＳイメージセンサ１１０と、ＡＤコンバーター１１１と、カメラモニタ１２０と、操作部１３０と、カメラコントローラ１４０と、ボディマウント１５０と、電源１６０と、カードスロット１７０とを備える。図１に示すように、ＣＭＯＳイメージセンサ１１０、ＡＤコンバーター１１１、カメラコントローラ１４０、電源１６０およびカードスロット１７０は、カメラ筐体６内に収容されている。図１〜図３に示すように、カメラモニタ１２０、操作部１３０およびボディマウント１５０は、カメラ筐体６の周囲に取り付けられている。
【００１０】
フラッシュ機構３は、不使用時にはカメラ筐体６内に収容されており、使用時にはカメラ筐体６からポップアップする。すなわち、フラッシュ機構３は、使用態様に応じて、図３および図４に示される収容状態と、図２に示されるポップアップ状態とを有する。収容状態とは、カメラ筐体６内に設けられる収容空間Ｓ（図１〜図４において不図示、図７参照）内にフラッシュ機構３の少なくとも一部が収容された状態である。ポップアップ状態とは、収容空間Ｓ内からフラッシュ機構３が飛び出した状態である。
カメラ筐体６は、図２に示すように、フラッシュ機構３に含まれる第１蓋部３３ａおよび第２蓋部３３ｂとともに、デジタルカメラ１００の外装の主要部を構成する。カメラ筐体６内の右上隅には、フラッシュ機構３を収容するための収容空間Ｓが設けられている。
ＣＭＯＳイメージセンサ１１０は、レンズユニット２が有する光学系Ｌにより形成される被写体の光学像を撮像することによって画像データを生成する撮像素子である。ＣＭＯＳイメージセンサ１１０により生成された画像データは、ＡＤコンバーター１１１によりデジタル化される。ＡＤコンバーター１１１によりデジタル化された画像データは、カメラコントローラ１４０により様々な画像処理が施される。様々な画像処理には、例えば、ガンマ補正処理、ホワイトバランス補正処理、キズ補正処理、ＹＣ変換処理、電子ズーム処理、圧縮処理等が含まれる。カメラコントローラ１４０により様々な画像処理が施された画像データは、カードスロット１７０を介して、動画又は静止画ファイルとしてメモリカード１７１に記録される。
【００１１】
カメラモニタ１２０は、カメラ本体１の背面に配置される。カメラモニタ１２０としては、例えば、液晶ディスプレイ、有機ＥＬディスプレイ、無機ＥＬディスプレイ、プラズマディスプレイなどを用いることができる。カメラモニタ１２０は、メモリカード１７１に記録されている画像データ等に基づく画像や、カメラコントローラ１４０によって画像処理が施された画像データに基づくスルー画像を表示する。
操作部１３０は、ユーザによる各種操作を受け付ける。操作部１３０には、レリーズ釦１３１が含まれる。レリーズ釦１３１は、ユーザから動画および静止画を記録するタイミングの入力を受け付ける。操作部１３０は、電気式の釦であり、ユーザから受け付けた操作の内容を示す信号をカメラコントローラ１４０に送信する。なお、後述されるフラッシュポップアップ釦４１（図７参照）は、機械的な要素のみから構成される非電気式の釦である。操作部１３０は、ボタン、レバー、ダイアル、タッチパネル等の任意の形態をとり得る。
【００１２】
カメラコントローラ１４０は、ＣＰＵ、ＲＡＭおよびＲＯＭを含むマイクロコンピュータである。カメラコントローラ１４０は、ＣＭＯＳイメージセンサ１１０およびカメラモニタ１２０等のカメラ本体１の各部の動作を制御することにより、カメラ本体１全体の動作を統括制御する。カメラコントローラ１４０は、図１に示すように、ボディマウント１５０およびレンズマウント２５０を介し、レンズコントローラ２４０と通信可能である。カメラコントローラ１４０は、操作部１３０がユーザから受け付けた操作の内容に従って、レンズコントローラ２４０と協調しつつ、デジタルカメラ１００全体の動作を統括制御する。
ボディマウント１５０は、レンズユニット２を着脱可能に保持する。ボディマウント１５０は、レンズユニット２のレンズマウント２５０と機械的及び電気的に接続される。
【００１３】
電源１６０は、デジタルカメラ１００の各部に電力を供給する。電源１６０は、例えば、乾電池であってもよいし、充電池であってもよいし、電源コード等を介し外部から供給される電力をデジタルカメラ１００に供給するものであってもよい。
カードスロット１７０は、メモリカード１７１を着脱可能に保持する。メモリカード１７１は、画像データ等を格納する記録媒体である。
（レンズユニット２）
図１に示すように、レンズユニット２は、レンズマウント２５０と、光学系Ｌと、絞りユニット２６０と、ズームアクチュエータ３００と、フォーカスアクチュエータ４００と、レンズコントローラ２４０とを備える。
レンズマウント２５０は、カメラ本体１のボディマウント１５０に着脱可能に装着される。
【００１４】
光学系Ｌは、被写体の光学像を形成する。光学系Ｌは、ズームレンズ２１０と、フォーカスレンズ２３０とを含む。図１〜図４には、光学系Ｌの光軸ＡＸが示されている。絞りユニット２６０は、光学系Ｌを透過する光の量を調整する。
ズームレンズ２１０は、光学系Ｌの焦点距離を変化させるように、光軸ＡＸと平行に移動可能である。ズームレンズ２１０は、ズームアクチュエータ３００により駆動される。
フォーカスレンズ２３０は、光学系Ｌのフォーカス状態を変化させるように、光軸ＡＸと平行に移動可能である。フォーカスレンズ２３０は、フォーカスアクチュエータ４００により駆動される。
レンズコントローラ２４０は、ＣＰＵ、ＲＡＭおよびＲＯＭを含むマイクロコンピュータである。レンズコントローラ２４０は、レンズユニット２（ズームアクチュエータ３００およびフォーカスアクチュエータ４００を含む）の各部の動作を制御することにより、レンズユニット２全体の動作を統括制御する。
【００１５】
［フラッシュ機構３の詳細構成］
以下、フラッシュ機構３の詳細構成について、図５〜図９を参照しながら説明する。図５は、ポップアップ状態におけるフラッシュ機構３の正面斜視図である。図６は、ポップアップ状態におけるフラッシュ機構３の背面斜視図である。図７は、ポップアップ状態におけるフラッシュ機構３の側面透視図である。図８は、収容状態におけるフラッシュ機構３の側面透視図である。なお、図５〜図８では、レンズユニット２が省略されている。
フラッシュ機構３は、フラッシュ発光部３１と、第１アーム部材（第１アームの一例）３２と、第２アーム部材（第２アームの一例）３３と、第１回転軸３４と、第２回転軸３５とを有する。
フラッシュ発光部３１は、図７および図８に示すように、発光源３１ａと、照射窓３１ｂとを有する。発光源３１ａは、図示されないコンデンサから電力の供給を受け、図示されないシャッターユニットが動作するタイミングに合わせて発光する。発光源３１ａが発光するタイミングは、カメラコントローラ１４０により制御される。
【００１６】
発光源３１ａは、発光源３１ａから出射されるフラッシュ光を通す照射窓３１ｂと、フラッシュ光を遮蔽する遮蔽部材（不図示）とにより取り囲まれている。従って、発光源３１ａから出射されるフラッシュ光は、照射窓３１ｂからのみフラッシュ発光部３１の外に出射される。照射窓３１ｂは、ポップアップ状態でほぼ真正面を向く。従って、フラッシュ光は、ポップアップ状態でほぼ真正面に向かって発せられる。
照射窓３１ｂは、第２アーム部材３３に固定されており、第２アーム部材３３に対し移動も回転もしない。従って、ユーザは、フラッシュ光の照射方向を調整したい場合には、カメラ筐体６に対する第２アーム部材３３の位置を調整する。後述するように、カメラ筐体６に対する第２アーム部材３３の位置は、第１回転軸３４回りの第１アーム部材３２の回転角と、第２回転軸３５回りの第２アーム部材３３の回転角とにより決まる。従って、ユーザは、第１アーム部材３２を第１回転軸３４回りに回転させたり、第２アーム部材３３を第２回転軸３５回りに回転させたりすることにより、フラッシュ光の照射方向を調整する。
【００１７】
第１回転軸３４は、図７および図８に示すように、収容空間Ｓ内の前上隅に、左右方向に延びるように配置されている。第１回転軸３４は、カメラ筐体６に固定されている。第１回転軸３４は、図示しない軸心（仮想線）に沿って配置されており、第１回転軸３４の軸心は、「第１回転中心軸」の一例である。なお、本実施形態において、“第１回転軸３４回りの回転”とは、“第１回転中心軸を中心とする回転”を意味する。
第１アーム部材３２は、第１回転軸３４回りを第１角度だけ回転可能に構成されている。第１角度とは、９０°より大きい所定の角度である。言い換えると、第１回転軸３４は、第１アーム部材３２をカメラ筐体６に対して、第１回転位置と第２回転位置との間で回転させる。第１回転位置と第２回転位置とは、第１回転軸３４回りに第１角度だけ離れている。第１回転位置および第２回転位置は、第１アーム部材３２のカメラ筐体６に対する回転範囲を規定する。第１アーム部材３２は、図７に示すようにポップアップ状態で第１回転位置に位置し、図８に示すように収容状態で第２回転位置に位置する。なお、本実施形態では、第１回転軸３４がカメラ筐体６に固定されており、第１アーム部材３２が第１回転軸３４回りを回転可能としているが、他の実施形態では、第１回転軸３４がカメラ筐体６に対し回転可能であり、第１アーム部材３２が第１回転軸３４に固定されるものとしてもよい。
【００１８】
図７及び図８に示すように、第１アーム部材３２は、第１回転付勢スプリング１０１（第１付勢部の一例）により、第１回転位置まで飛び出すように付勢されている。第１アーム部材３２は、収容状態において図示しないロック機構が解除されており、かつ、ユーザの操作等による外力が加えられなければ、図５〜図７に示すように第１回転位置で静止する。なお、第１回転付勢スプリング１０１は、第１回転軸３４周りに配置されるコイルバネである。
第２回転軸３５は、図７および図８に示すように、第１アーム部材３２の第１回転軸３４と反対側の端部に、左右方向に延びるように配置されている。第２回転軸３５は、第１アーム部材３２に固定されている。第２回転軸３５は、図示しない軸心（仮想線）に沿って配置されており、第２回転軸３５の軸心は、「第２回転中心軸」の一例である。なお、本実施形態において、“第２回転軸３５回りの回転”とは、“第２回転中心軸を中心とする回転”を意味する。
【００１９】
第２アーム部材３３は、第２回転軸３５回りを第２角度だけ回転可能に構成されている。第２角度とは、９０°より大きい所定の角度である。言い換えると、第２回転軸３５は、第２アーム部材３３を第１アーム部材３２に対し、第３回転位置と第４回転位置との間で回転させる。第３回転位置と第４回転位置とは、第２回転軸３５回りに第２角度だけ離れている。第３回転位置および第４回転位置は、第２アーム部材３３の第１アーム部材３２に対する回転範囲を規定する。第２アーム部材３３は、図７に示すようにポップアップ状態で第３回転位置に位置し、図８に示すように収容状態で第４回転位置に位置する。なお、本実施形態では、第２回転軸３５が第１アーム部材３２に固定されており、第２アーム部材３３が第２回転軸３５回りを回転可能としているが、他の実施形態では、第２回転軸３５が第１アーム部材３２に対し回転可能であり、第２アーム部材３３が第２回転軸３５に固定されるものとしてもよい。
【００２０】
なお、第１アーム部材３２のカメラ筐体６に対する第１回転軸３４回りの回転と、第２アーム部材３３の第１アーム部材３２に対する第２回転軸３５回りの回転とは、独立している。言い換えると、フラッシュ機構３において、第１アーム部材３２の回転と第２アーム部材３３の回転とを連動させる機構等は、存在していない。
図７及び図８に示すように、第２アーム部材３３は、第２回転付勢スプリング１０２（第２付勢部の一例）により、第３回転位置まで飛び出すように付勢されている。第２アーム部材３３は、収容状態において図示しないロック機構が解除されており、かつ、ユーザの操作による外力が加えられなければ、第３回転位置で静止する。なお、第２回転付勢スプリング１０２は、第２回転軸３５周りに配置されるコイルバネである。
第２アーム部材３３の第２回転軸３５と反対側の端部には、フラッシュ発光部３１が取り付けられている（固定されている）。
【００２１】
第２アーム部材３３は、第１蓋部３３ａと、第２蓋部３３ｂ（第２回転規制部材の一例）とを有する。第１蓋部３３ａおよび第２蓋部３３ｂは、図８に示すように、収容空間Ｓが外部から閉じられるように収容空間Ｓを塞ぐ部材である。第１蓋部３３ａおよび第２蓋部３３ｂは、収容状態において、カメラ筐体６とともにデジタルカメラ１００の外装の一部を構成する（図２および図３参照）。
第２蓋部３３ｂは、第１蓋部３３ａの後端部に連結されている。第２蓋部３３ｂは、第１蓋部３３ａの後端部から後下方へと湾曲しながら延びている。第２蓋部３３ｂは、側面視において略円弧形状である。
ここで、図６〜図８に示すように、カメラ本体１は、収容空間Ｓ内に配置されるカム部５（第１回転規制部材の一例）を備えている。
【００２２】
カム部５は、図６に示すように、収容空間Ｓの左後の隅に配置されている。カム部５は、後方に延びる当接面５ａを有する。当接面５ａは、ゆるやかに下方に湾曲している。
カム部５は、フラッシュ機構３がポップアップ状態から収容状態へと移動する途中において、図９に示すように、第２蓋部３３ｂの端部Ｅ１に当接することにより、第１アーム部材３２の第２回転位置に向かう回転を一旦規制する。これにより、第２アーム部材３３が第３回転位置に位置するとき、第１アーム部材３２は、第２回転位置へ移動することを規制される。また、第２アーム部材３３が第３回転位置から第４回転位置に向かって回転した場合であっても、第２アーム部材３３が第４回転位置から９０°以上離れた位置に位置するときには、第１アーム部材３２は、第２回転位置へ移動することを規制される。図９は、第２蓋部３３ｂの端部Ｅ１がカム部５に当接した状態を示す斜視図である。この状態から、第２アーム部材３３が第２回転軸３５回りを第４回転位置に向かって回転するにしたがって、第２蓋部３３ｂの端部Ｅ１は、当接面５ａに沿って後下方に移動可能である。フラッシュ機構３の動作については後述する。
【００２３】
［フラッシュ機構３の動作］
（１）ポップアップ時の動作
フラッシュ機構３が収容状態からポップアップ状態に移動する動作について、図１０（ａ）および図１０（ｂ）を参照しながら説明する。
図１０（ａ）に示すように、収容状態では、第１アーム部材３２が第２回転位置で静止し、第２アーム部材３３が第４回転位置で静止している。そのため、収容状態では、第１アーム部材３２および第２アーム部材３３が略前後方向（光軸ＡＸ方向）に沿って倒れており、フラッシュ発光部３１と第１回転軸３４と第２回転軸３５とが略前後方向（光軸ＡＸ方向）に沿って略一直線上に並ぶ。
フラッシュ機構３の収容状態においてユーザによりフラッシュポップアップ釦４１（図１０（ａ）および図１０（ｂ）において不図示、図９参照）が前方に押されると、図示しないロック機構が解除される。これに応じて、２つの回転付勢スプリング（図示されない）による付勢力がそれぞれ、第１アーム部材３２を第１回転軸３４回りに第２回転位置から第１回転位置まで回転させるとともに、第２アーム部材３３を第２回転軸３５回りに第４回転位置から第３回転位置まで回転させる。このように、フラッシュ機構３は、フラッシュポップアップ釦４１の押下に応じて直ちに収容状態からポップアップ状態に移動する。
【００２４】
図１０（ｂ）に示すように、ポップアップ状態では、第１アーム部材３２が第１回転位置で静止し、第２アーム部材３３が第３回転位置で静止している。ポップアップ状態では、第１アーム部材３２および第２アーム部材３３のそれぞれが前傾姿勢になる。また、ポップアップ状態では、第２回転軸３５が第１回転軸３４よりも前方に位置した状態となる。その結果、フラッシュ発光部３１が被写体側に突出し、フラッシュ発光部３１から出射されるフラッシュ光がレンズユニット２に遮られにくくなる。また、ポップアップ状態では、照射窓３１ｂがほぼ真正面を向く。従って、ポップアップ状態では、フラッシュ光がほぼ真正面に向けて発せられる。
また、ポップアップ状態において、２つの回転付勢スプリング（図示されない）それぞれは、ポップアップ状態を維持するように、第１アーム部材３２および第２アーム部材３３それぞれを付勢している。ただし、ユーザは、２つの回転付勢スプリングによる付勢力に逆らって、第１アーム部材３２および／または第２アーム部材３３の回転角を手動で変化させることができる。第１アーム部材３２および／または第２アーム部材３３の回転角が変化すると、照射窓３１ｂの向き、すなわちフラッシュ光の出射方向が変化する。また、上記のとおり、第１アーム部材３２の第１回転軸３４回りの回転と、第２アーム部材３３の第２回転軸３５回りの回転とは、独立している。従って、ユーザは、第１アーム部材３２の回転角と第２アーム部材３３の回転角とを独立に調整することにより、フラッシュ光の出射方向を自由に調整することができる。このようにして、ユーザはバウンス撮影を行うことも可能である。
【００２５】
（２）収容時の動作
フラッシュ機構３がポップアップ状態から収容状態に移動する際の動作について、図１１（ａ）〜図１１（ｄ）を参照しながら説明する。
ユーザは、フラッシュ機構３を収容空間Ｓに再び収容したい場合には、手動で第１アーム部材３２を第１回転軸３４回りに第１回転位置から第２回転位置まで回転させながら、第２アーム部材３３を第２回転軸３５回りに第３回転位置から第４回転位置まで回転させる。
ここで、第１アーム部材３２の第１回転軸３４回りの回転と、第２アーム部材３３の第２回転軸３５回りの回転とが独立している。従って、仮に、カム部５および第２蓋部３３ｂが存在しなければ、第２アーム部材３３が第３回転位置に位置し、かつ、第１アーム部材３２が第２回転位置に位置する状態が生じ得る。この状態では、照射窓３１ｂの向きが鉛直方向上方よりも後方に傾いているので、フラッシュ光がユーザに照射される危険がある。
【００２６】
しかし、本実施形態では、第２アーム部材３３が第３回転位置に位置した状態にある時には、第１アーム部材３２の第２回転位置への回転が一旦規制される。
具体的には、第１アーム部材３２は、図１１（ａ）に示す第１回転位置から図１１（ｂ）に示す位置まで回転されると、第２蓋部３３ｂの端部Ｅ１がカム部５と当接することによって、第１アーム部材３２は、第２回転位置に向かう方向にそれ以上回転できなくなる。この状態では、照射窓３１ｂは、鉛直方向上方よりもやや前方に傾いているので、フラッシュ光がユーザに照射されることが抑制されている。
続いて、図１１（ｃ）に示すように、第２アーム部材３３に対しユーザが前方に力を加えると、第２蓋部３３ｂの端部Ｅ１は、カム部５の当接面５ａに沿って当接面５ａの前端から後下方へと案内される。その結果、第２アーム部材３３が第２回転軸３５回りを第４回転位置に向かって回転するのに伴って、第１アーム部材３２が第１回転軸３４回りを第２回転位置に向かって回転する。
【００２７】
その後、図１１（ｄ）に示すように、ユーザが第２アーム部材３３を押さえるように力を加えると、第１アーム部材３２および第２アーム部材３３が折りたたまれた状態でロックされる。これにより、第１アーム部材３２が第２回転位置に保持されるとともに、第２アーム部材３３が第４回転位置に保持されることによって、フラッシュ機構３の収容動作が完了する。
（３）収容時の他の動作
次に、フラッシュ機構３がポップアップ状態から収容状態に移動する際の他の動作について、図１２（ａ）〜図１２（ｄ）を参照しながら説明する。上述の収容時の動作との相違点は、第２蓋部３３ｂの端部Ｅ１がカム部５と当接する時点において、第２アーム部材３３が前方に回転されている点である（図１１（ｂ）および図１２（ｂ）参照）。
【００２８】
まず、第１アーム部材３２が図１２（ａ）の第１回転位置から図１２（ｂ）に示される位置まで回転された時点で、第２アーム部材３３が前方に傾けられている。ただし、第２アーム部材３３は、第４回転位置から第３回転位置に向かって回転しているが、第４回転位置から第３回転位置に向かって９０°以上離れた位置に位置するものとする。この際、図１２（ｂ）に示すように、第２蓋部３３ｂの端部Ｅ１は、図１１（ｂ）に示す位置よりも後方に位置しているので、第２蓋部３３ｂの端部Ｅ１は、当接面５ａのうち前端よりも後方の領域に当接される。
ここで、仮に、カム部５の当接面５ａが後方に延びていなければ（すなわち、カム部５がより小さければ）、第２蓋部３３ｂの端部Ｅ１がカム部５に当接しないおそれがある。第２蓋部３３ｂの端部Ｅ１がカム部５に当接しなければ、第１アーム部材３２の回転が規制されないため、第１アーム部材３２が第２回転位置までノンストップで回転してしまう。その結果、フラッシュ光がユーザに照射されるおそれがある。
【００２９】
しかし、本実施形態では、カム部５の当接面５ａが後方に延びているので、第２アーム部材３３が前方に傾けられている場合においても、第２蓋部３３ｂの端部Ｅ１は当接面５ａに当接される。そのため、第２蓋部３３ｂの端部Ｅ１がカム部５から外れることを抑制できるので、フラッシュ光がユーザに照射されることをより抑制することができる。
［その他の実施形態］
以上、実地形態に係るデジタルカメラ１００について説明したが、本発明は、このような例に限定されない。本発明の趣旨を逸脱しない範囲で、様々な改変が可能である。
（Ａ）
上記実施形態では、収容空間Ｓは、カメラ筐体６内の右上設けられるものとしたが、他の場所に配置されるものであってもよい。
【００３０】
（Ｂ）
上記実施形態では、第１アーム部材３２および第２アーム部材３３が、ポップアップ状態でそれぞれ回転端に位置する。しかし、第１アーム部材３２および／または第２アーム部材３３が、ポップアップ状態で回転端になくてもよい。例えば、第１アーム部材３２が、ポップアップ状態からさらに前方に手動で回転可能であってもよい。同様に、第２アーム部材３３も、ポップアップ状態からさらに前方に手動で回転可能であってもよい。その場合において、ポップアップ状態において第２回転位置が第１回転位置よりも前方に出ていなくてもよい。そのようなポップアップ状態から、第１アーム部材３２および／または第２アーム部材３３を手動で回転させることにより、第２回転位置が第１回転位置よりも前方に出るようにしてもよい。
【００３１】
（Ｃ）
上記実施形態では、第１アーム部材３２および第２アーム部材３３が、収容状態でそれぞれ回転端に位置する。しかし、第１アーム部材３２および／または第２アーム部材３３が、収容状態で回転端になくてもよい。例えば、第２アーム部材３３が、非収容状態において第４回転位置に達し、収容状態においては第３回転位置と第４回転位置との間の所定の回転位置に位置するようにしてもよい。
（Ｄ）
フラッシュ発光部３１は、第２アーム部材３３に対し移動可能および／または回転可能であってもよい。ただし、フラッシュ発光部３１は、ポップアップ状態で照射窓３１ｂが前方を向くように配置されていることが好ましい。
【００３２】
（Ｅ）
上記実施形態では、撮像素子の一例としてＣＭＯＳイメージセンサについて説明したが、これに限られるものではない。撮像素子としては、例えばＣＣＤイメージセンサなどを用いることができる。
（Ｆ）
上記実施形態では、カム部５の当接面５ａは、ゆるやかに下方に湾曲しながら後下方に延びることとしたが、これに限られるものではない。当接面５ａは、湾曲していなくてもよいし、後方に真っ直ぐ延びていてもよい。
（Ｇ）
上記実施形態では、第１アーム部材３２および第２アーム部材３３は、回転付勢スプリングによってポップアップ位置まで飛び出すように付勢されていることとしたが、電動モータなどの電動手段によって駆動されることとしてもよい。
【産業上の利用可能性】
【００３３】
本発明は、フラッシュ機構を有する撮像装置として有用である。
【符号の説明】
【００３４】
１  カメラ本体
５  カム部（第１回転規制部材）
６  カメラ筐体
３１  フラッシュ発光部（発光部）
３２  第１アーム部材（第１アーム）
３３  第２アーム部材（第２アーム）
３３ｂ  第２蓋部（第２回転規制部材）
３４  第１回転軸
３５  第２回転軸
４１  フラッシュポップアップ釦
【図１】
0005526101.tif 000002
【図２】
0005526101.tif 000003
【図３】
0005526101.tif 000004
【図４】
0005526101.tif 000005
【図５】
0005526101.tif 000006
【図６】
0005526101.tif 000007
【図７】
0005526101.tif 000008
【図８】
0005526101.tif 000009
【図９】
0005526101.tif 000010
【図１０】
0005526101.tif 000011
【図１１】
0005526101.tif 000012
【図１２】
0005526101.tif 000013